(57)【特許請求の範囲】
【請求項１】
電子血圧計を収納する血圧計収納ケースであって、
前記電子血圧計は、操作部を有する血圧計本体、および、圧迫帯を有し、
前記血圧計本体および前記圧迫帯は、互いに分離した構造を有し、
前記血圧計収納ケースは、ケース本体および仕切部材を有し、
前記ケース本体は、前記血圧計本体および前記圧迫帯を収容する収容空間を有し、
前記仕切部材は、前記収容空間を、前記血圧計本体を配置するための血圧計空間、および、前記圧迫帯を配置するための圧迫帯空間に区画し、前記操作部と対応する部分に開口部を有する
血圧計収納ケース。
【請求項２】
前記開口部は、前記仕切部材を貫通している
請求項１に記載の血圧計収納ケース。
【請求項３】
前記ケース本体は、直方体の箱を有し、
前記箱は、頂面が開口した形状を有し、底壁を有し、
前記仕切部材は、平板形状を有し、一方の面が前記箱の底壁と対向し、前記箱の底壁に対して傾斜し、
前記仕切部材の上辺は、前記箱の開口側に存在し、
前記仕切部材の下片は、前記箱の底壁側に存在している
請求項１または２に記載の血圧計収納ケース。
【請求項４】
前記箱は、前壁および後壁を有し、
前記前壁および前記後壁は、前記収容空間を介して互いに対向し、
前記底壁は、前記前壁の底部と前記後壁の底部とを互いに接続し、
前記仕切部材の下辺は、前記箱の前壁側に存在し、
前記仕切部材の上辺は、前記箱の後壁側に存在している
請求項３に記載の血圧計収納ケース。
【請求項５】
前記血圧計収納ケースは、前記仕切部材の上辺と、この上辺と対向する前記箱の内面との間に隙間を有する
請求項３または４に記載の血圧計収納ケース。
【請求項６】
前記隙間は、前記圧迫帯の幅よりも狭い
請求項５に記載の血圧計収納ケース。
【請求項７】
前記血圧計収納ケースは、接続部材を有し、
前記接続部材は、伸縮性を有し、前記仕切部材の上辺の一方の端と前記ケース本体とを互いに接続し、前記仕切部材の上辺の他方の端と前記ケース本体とを互いに接続している
請求項１〜６のいずれか一項に記載の血圧計収納ケース。
【請求項８】
前記操作部は、前記血圧計本体の表面から突出した形状を有し、
前記開口部の深さは、前記操作部の突出量よりも大きい
請求項１〜７のいずれか一項に記載の血圧計収納ケース。
【請求項９】
前記血圧計収納ケースは、剛性部材を有し、
前記剛性部材は、前記仕切部材よりも高い剛性を有し、前記仕切部材のうちの前記圧迫帯側の面である帯対応面に取り付けられている
請求項１〜８のいずれか一項に記載の血圧計収納ケース。
【請求項１０】
前記血圧計本体は、表示部を有し、
前記仕切部材は、前記仕切部材のうちの前記表示部に対応する表示対応部分が透明な材料により形成されている
請求項１〜９のいずれか一項に記載の血圧計収納ケース。
【請求項１１】
前記血圧計本体は、表示部を有し、
前記仕切部材は、前記表示部の全体を覆うことが可能な構造を有し、
前記表示部は、請求項１１が請求項１０を引用する場合において、請求項１０に記載の表示部と同一の事項を示す
請求項１〜１０のいずれか一項に記載の血圧計収納ケース。
【請求項１２】
請求項１〜１１のいずれか一項に記載の血圧計収納ケース、および、この血圧計収納ケースに収納される前記電子血圧計を有する血圧測定装置。
【請求項１３】
前記血圧測定装置は、請求項４、または、請求項４を引用する請求項５〜１１のいずれか一項に記載の血圧計収納ケースを有し、
前記電子血圧計は、前記電子血圧計のうちの正面に表示部を有し、
前記電子血圧計の正面は、前記電子血圧計の底面に対して傾斜し、
前記圧迫帯は、前記仕切部材の上方に収納され、
前記血圧計本体は、前記仕切部材の下方に収納され、
前記表示部は、請求項１２が請求項１０または１１を引用する場合において、請求項１０または１１に記載の表示部と同一の事項を示す
請求項１２に記載の血圧測定装置。
【発明の詳細な説明】
【技術分野】
【０００１】
本発明は、操作部を有する血圧計本体と圧迫帯とが互いに分離して構成される電子血圧計について、これを収納するケース本体を含む血圧計収納ケース、およびこれを備える血圧測定装置に関する。
【背景技術】
【０００２】
上記電子血圧計として、例えば特許文献１に記載ものが知られている。
この文献の電子血圧計には、操作部を有する血圧計本体と、腕を圧迫する圧迫帯と、本体と圧迫帯とを互いに接続するチューブとが設けられている。
【先行技術文献】
【特許文献】
【０００３】
【特許文献１】特開２０１０−９９３８４号公報
【発明の概要】
【発明が解決しようとする課題】
【０００４】
上記の電子血圧計においては、血圧計本体と圧迫帯とが互いに分離しているため、同血圧計が同一の収納ケースに収納されたとき、血圧計本体の操作部が圧迫帯により押し下げられることが考えられる。この場合には、電子血圧計の電力が不要に消費される等の問題が生じる。
【０００５】
本発明は上記課題を解決するためになされたものであり、その目的は、血圧計本体の操作部が圧迫帯により押される状況が生じにくい構造の血圧計収納ケース、および同ケースを備える血圧測定装置を提供することにある。
【課題を解決するための手段】
【０００６】
〔１〕本血圧収納ケースの一形態は、次の事項を有する。前記電子血圧計は、操作部を有する血圧計本体、および、圧迫帯を有し、前記血圧計本体および前記圧迫帯は、互いに分離した構造を有し、前記血圧計収納ケースは、ケース本体および仕切部材を有し、前記ケース本体は、前記血圧計本体および前記圧迫帯を収容する収容空間を有し、前記仕切部材は、前記収容空間を、前記血圧計本体を配置するための血圧計空間、および、前記圧迫帯を配置するための圧迫帯空間に区画し、前記操作部と対応する部分に開口部を有する。
〔２〕上記血圧収納ケースの一形態は、次の事項を有する。前記開口部は、前記仕切部材を貫通している。
〔３〕上記血圧収納ケースの一形態は、次の事項を有する。前記ケース本体は、直方体の箱を有し、前記箱は、頂面が開口した形状を有し、底壁を有し、前記仕切部材は、平板形状を有し、一方の面が前記箱の底壁と対向し、前記箱の底壁に対して傾斜し、前記仕切部材の上辺は、前記箱の開口側に存在し、前記仕切部材の下片は、前記箱の底壁側に存在している。
〔４〕上記血圧収納ケースの一形態は、次の事項を有する。前記箱は、前壁および後壁を有し、前記前壁および前記後壁は、前記収容空間を介して互いに対向し、前記底壁は、前記前壁の底部と前記後壁の底部とを互いに接続し、前記仕切部材の下辺は、前記箱の前壁側に存在し、前記仕切部材の上辺は、前記箱の後壁側に存在している。
〔５〕上記血圧収納ケースの一形態は、次の事項を有する。前記血圧計収納ケースは、前記仕切部材の上辺と、この上辺と対向する前記箱の内面との間に隙間を有する。
〔６〕上記血圧収納ケースの一形態は、次の事項を有する。前記隙間は、前記圧迫帯の幅よりも狭い。
〔７〕上記血圧収納ケースの一形態は、次の事項を有する。前記血圧計収納ケースは、接続部材を有し、前記接続部材は、伸縮性を有し、前記仕切部材の上辺の一方の端と前記ケース本体とを互いに接続し、前記仕切部材の上辺の他方の端と前記ケース本体とを互いに接続している。
〔８〕上記血圧収納ケースの一形態は、次の事項を有する。前記操作部は、前記血圧計本体の表面から突出した形状を有し、前記開口部の深さは、前記操作部の突出量よりも大きい。
〔９〕上記血圧収納ケースの一形態は、次の事項を有する。前記血圧計収納ケースは、剛性部材を有し、前記剛性部材は、前記仕切部材よりも高い剛性を有し、前記仕切部材のうちの前記圧迫帯側の面である帯対応面に取り付けられている。
〔１０〕上記血圧収納ケースの一形態は、次の事項を有する。前記血圧計本体は、表示部を有し、前記仕切部材は、前記仕切部材のうちの前記表示部に対応する表示対応部分が透明な材料により形成されている。
〔１１〕上記血圧収納ケースの一形態は、次の事項を有する。前記血圧計本体は、表示部を有し、前記仕切部材は、前記表示部の全体を覆うことが可能な構造を有する。
〔１２〕本血圧測定装置の一形態は、血圧計収納ケース、および、この血圧計収納ケースに収納される前記電子血圧計を有する。
〔１３〕上記血圧測定装置の一形態は、次の事項を有する。前記血圧測定装置は、前記血圧計収納ケースを有し、前記電子血圧計は、前記電子血圧計のうちの正面に表示部を有し、前記電子血圧計の正面は、前記電子血圧計の底面に対して傾斜し、前記圧迫帯は、前記仕切部材の上方に収納され、前記血圧計本体は、前記仕切部材の下方に収納される。
【発明の効果】
【００１５】
本発明によれば、血圧計本体の操作部が圧迫帯により押される状況が生じにくい構造の血圧計収納ケース、および同ケースを備える血圧測定装置を提供することができる。
【図面の簡単な説明】
【００１６】
【図１】本発明の一実施形態の血圧測定装置について、電子血圧計および血圧計収納ケースの斜視構造を示す斜視図。
【図２】同実施形態の血圧計収納ケースについて、（ａ）は保護部の正面構造を示す正面図、（ｂ）は同（ａ）のＢ−Ｂ線に沿う保護部の断面構造を示す断面図。
【図３】同実施形態の血圧測定装置１について、図１のＡ−Ａ線に沿う断面構造を示す断面図。
【図４】同実施形態の血圧測定装置について、血圧収納ケース内に電子血圧計が収納された状態の斜視構造を示す斜視図。
【図５】同実施形態の血圧測定装置について、血圧収納ケース内に電子血圧計が収納された状態の断面構造を示す断面図。
【図６】同実施形態の血圧測定装置について、電子血圧計を収納ケースに収納するときの手順を示す動作図。
【図７】本発明のその他の実施形態の血圧測定装置について、電子血圧計が収納ケースに収納された状態の断面構造を示す断面図。
【図８】本発明のその他の実施形態の血圧測定装置について、電子血圧計が収納ケースに収納された状態の断面構造を示す断面図。
【図９】本発明のその他の実施形態の血圧測定装置について、電子血圧計が収納ケースに収納された状態の断面構造を示す断面図。
【発明を実施するための形態】
【００１７】
図１を参照して、血圧測定装置１の構成について説明する。
血圧測定装置１の説明にあたり、同装置１の各方向を以下のように定義する。
（ａ）収納ケース１０の高さ方向Ｙにおいて、底壁２３から蓋２１に向かう方向を「上方」とし、蓋２１から底壁２３に向かう方向を「下方」とする。
（ｂ）収納ケース１０の奥行方向Ｚにおいて、前壁２５から後壁２６に向かう方句を「後方」とし、後壁２６から前壁２５に向かう方向を「前方」とする。
（ｃ）収納ケース１０の幅方向Ｘにおいて、箱２２の正面視において左側から右側に向かう方向を「右方」とし、箱２２の正面視において左側から右側に向かう方向を「左方」とする。
【００１８】
血圧測定装置１には、ユーザの腕を圧迫して血圧を測定する電子血圧計４０と、電子血圧計４０を収納する収納ケース１０とが設けられている。血圧測定装置１の収納状態においては、電子血圧計４０が収納ケース１０内に収納される。
【００１９】
電子血圧計４０には、測定結果の演算をはじめとする各種の機能を有する血圧計本体５０と、エアバッグにより腕を圧迫する圧迫帯６０と、商用交流電源から血圧計本体５０に電力を供給する電源アダプタ８０とが設けられている。またこの他に、血圧計本体５０と圧迫帯６０とを互いに接続するチューブ７０が設けられている。
【００２０】
血圧計本体５０には、血圧の測定等のためにユーザにより操作される操作部５１と、測定結果等を表示する表示部５２と、チューブ７０を接続するためのチューブ接続部５３とが設けられている。また血圧計本体５０の内部には、圧迫帯６０のエアバッグにエアを供給するエアポンプと、電源としての電池とが内蔵されている（いずれも図示略）。表示部５２としては、液晶画面を有するものが設けられている。
【００２１】
操作部５１には、押しボタン式の電源ボタン５１Ａおよび測定ボタン５１Ｂが設けられている。各ボタン５１Ａ，５１Ｂは、血圧計本体５０の外面（操作面５４Ｂ）から突出して設けられている。各ボタン５１Ａ，５１Ｂの操作面５４Ｂからの突出量（以下、「突出量Ｐ」）は、ユーザの操作感を考慮した大きさに設定されている。
【００２２】
血圧計本体５０には、外面を形成する面として５つの面、すなわち正面５４、背面５５、底面５６、右側の側面５７、および左側の側面５７が形成されている。正面５４には、表示部５２が設けられた表示面５４Ａと、操作部５１が設けられた操作面５４Ｂとが形成されている。
【００２３】
表示面５４Ａおよび操作面５４Ｂは、それぞれ底面５６に対して傾斜している。底面５６に対する表示面５４Ａの傾斜度合いは、底面５６に対する操作面５４Ｂの傾斜度合いよりも大きい。
【００２４】
収納ケース１０には、電子血圧計４０を収納するための空間を有するケース本体２０と、同空間において圧迫帯６０、チューブ７０、および電源アダプタ８０と血圧計本体５０とが互いに接触することを抑制するための保護部３０とが設けられている。
【００２５】
ケース本体２０には、頂面が開口した形状の直方体としての箱２２と、箱２２の一部に接続されて箱２２の開口部を閉塞する蓋２１と、箱２２および蓋２１の開口部の縁に取り付けられた線ファスナー２７とが設けられている。
【００２６】
箱２２は、５つの壁部、すなわち底壁２３、左側の側壁２４、右側の側壁２４、前壁２５、および後壁２６により構成されている。また箱２２内には、血圧計本体５０、圧迫帯６０、チューブ７０、および電源アダプタ８０を収納するための空間（以下、「収納空間２８」）が形成されている。また、底壁２３、左側の側壁２４、右側の側壁２４、前壁２５、および後壁２６の収納空間２８と対応するそれぞれの面により、箱２２の内面が構成されている。
【００２７】
収納空間２８は、保護部３０により２つの空間、すなわち上方区画２８Ａおよび下方区画２８Ｂに区画されている。上方区画２８Ａは、圧迫帯６０、チューブ７０、および電源アダプタ８０を収納するための空間として、蓋２１が閉じられたときに保護部３０の上面３０Ａと蓋２１と各側壁２４と前壁２５とにより囲まれて形成される。下方区画２８Ｂは、血圧計本体５０を収納するための空間として、保護部３０の下面３０Ｂと底壁２３と各側壁２４と後壁２６とにより囲まれて形成されている。
【００２８】
箱２２の後壁２６と保護部３０の上部の縁（上辺３１Ｘ）との間には、血圧計本体５０を下方区画２８Ｂに入れるための隙間（以下、「収納口２９」）が形成されている。収納口２９は、箱２２の左側の側壁２４から右側の側壁２４までにわたり形成されている。
【００２９】
電子血圧計４０の動作について説明する。
電子血圧計４０の使用時には、チューブ７０により血圧計本体５０と圧迫帯６０とが互いに接続される。また、商用交流電源を用いて血圧計本体５０を動作させるときには、血圧計本体５０が電源アダプタ８０により商用交流電源に接続される。血圧計本体５０に電源アダプタ８０が接続されていないときには、内蔵の電池が血圧計本体５０の電源として用いられる。
【００３０】
ユーザは、血圧の測定を行なうとき、操作部５１の電源ボタン５１Ａを押すことにより血圧計本体５０の電源を投入する。次に、圧迫帯６０を腕に装着した状態において測定ボタン５１Ｂを押すことにより、血圧の測定を開始する。なお、測定ボタン５１Ｂの操作により、今回の測定結果を記憶すること、過去の測定結果を呼び出すこと、および過去の測定結果を消去すること等をはじめとして各種のデータの操作ができる。
【００３１】
電子血圧計４０においては、測定ボタン５１Ｂが押されることにともないエアポンプからチューブ７０を介して圧迫帯６０にエアが供給される。これにより、ユーザの腕が圧迫帯６０により圧迫される。
【００３２】
図２を参照して、保護部３０の詳細な構成について説明する。
保護部３０には、長方形状の平板状の仕切部材３１と、仕切部材３１よりも高い剛性を有する平板状の剛性部材３３と、仕切部材３１と箱２２とを互いに接続する接続部材３４とが設けられている。仕切部材３１は、可撓性の発泡材料により構成されている。剛性部材３３は、ＰＥＴ部材により構成されている。接続部材３４は、伸縮性の高いゴムにより形成されている。
【００３３】
仕切部材３１においては、その下部の上面３１Ａに剛性部材３３が取り付けられている。すなわち、仕切部材３１の上面３１Ａと剛性部材３３の下面３３Ｂとが互いに固定されている。
【００３４】
仕切部材３１において血圧計本体５０の操作部５１に対応する部分には、開口部３２としての孔が形成されている。開口部３２は、血圧計本体５０の操作部５１を囲むように形成されている。仕切部材３１の上面３１Ａおよび下面３１Ｂの面積は、血圧計本体５０の正面５４の面積よりも大きく設定されている。
【００３５】
保護部３０の上面３０Ａは、剛性部材３３の上面３３Ａと仕切部材３１の上面３１Ａとにより構成されている。保護部３０の下面３０Ｂは、仕切部材３１の下面３１Ｂにより構成されている。なお、上面３０Ａは「帯対応面」に相当する。
【００３６】
図５に示されるように、開口部３２の穴の深さ（以下、「開口穴深さＨ」）は、血圧計本体５０の電源ボタン５１Ａおよび測定ボタン５１Ｂの突出量Ｐよりも大きく設定されている。
【００３７】
図３を参照して、収納ケース１０の詳細な構成について説明する。
収納ケース１０においては、仕切部材３１の下辺３１Ｙが箱２２の底壁２３側に位置し、かつ仕切部材３１の上辺３１Ｘが箱２２の開口側に位置するように仕切部材３１が箱２２に対して傾斜している。すなわち、収納ケース１０においては、奥行方向Ｚにおいて前方から後方に向かうにつれて高さ方向Ｙにおいて下方から上方に向けて傾斜するように仕切部材３１が箱２２に取り付けられている。
【００３８】
仕切部材３１の上面３１Ａは、蓋２１が閉じられた状態において蓋２１および箱２２の前壁２５と対向する。仕切部材３１の下面３１Ｂは、箱２２の底壁２３および箱２２の後壁２６と対向する。
【００３９】
仕切部材３１の下辺３１Ｙは、箱２２の前壁２５付近において前壁２５と平行するように箱２２の底壁２３に固定されている。仕切部材３１の上辺３１Ｘは、箱２２の後壁２６付近において後壁２６と平行するとともに後壁２６から離間している。
【００４０】
仕切部材３１の上辺３１Ｘの左方の端部は、接続部材３４を介して左方の側壁２４に接続されている。仕切部材３１の上辺３１Ｘの右方の端部は、接続部材３４を介して右方の側壁２４に接続されている（図１参照）。
【００４１】
図４および図５を参照して、電子血圧計４０が収納ケース１０に収納された状態においての血圧測定装置１の構造について説明する。なお、図４は蓋２１が開けられた状態においての血圧測定装置１の斜視構造を示している。また、図５は蓋２１が閉じられた状態においての血圧測定装置１の断面構造を示している。また、図５においては、チューブ７０を省略するとともに電子血圧計４０の構造の一部を簡略化している。
【００４２】
図４に示されるように、血圧測定装置１においては、血圧計本体５０、圧迫帯６０、および電源アダプタ８０の接続状態が解除された状態で電子血圧計４０が収納ケース１０に収納される。このとき、圧迫帯６０にはチューブ７０が接続されている。
【００４３】
収納ケース１０においては、血圧計本体５０が保護部３０の下方に配置されている。また、圧迫帯６０および電源アダプタ８０が保護部３０の上方に配置されている。また、圧迫帯６０が奥行方向Ｚにおいて電源アダプタ８０よりも収納ケース１０の前壁２５に近い箇所に配置されている。
【００４４】
図５に示されるように、血圧計本体５０は、背面５５が箱２２の後壁２６と対向し、底面５６が箱２２の底壁２３と対向し、正面５４が仕切部材３１の下面３１Ｂと対向した状態で下方区画２８Ｂに配置されている。また、正面５４と仕切部材３１の下面３１Ｂとの間には空間が形成されている。また、正面５４の全体が仕切部材３１の下面３１Ｂにより覆われている。また、血圧計本体５０の上端部が収納口２９を介して上方区画２８Ａに突出している。
【００４５】
圧迫帯６０は、剛性部材３３の上面３３Ａに接触して剛性部材３３上に配置されている。圧迫帯６０の前方の縁および上方の縁は、それぞれ箱２２の前壁２５および蓋２１に接触している。
【００４６】
ここで、収納口２９の奥行方向Ｚの長さ、すなわち仕切部材３１の上辺３１Ｘと箱２２の後壁２６との距離を「開口幅Ｓ」とし、収納状態においての圧迫帯６０の直径に相当する長さを「帯幅Ｄ」とする。収納ケース１０においては、仕切部材３１に力が加えられていない状態においての開口幅Ｓが帯幅Ｄよりも小さく設定されている。
【００４７】
図６を参照して、電子血圧計４０を収納ケース１０に収納するときの手順について説明する。なお、同図中において実線の血圧計本体５０は以下の（手順２）においての状態を、また二点鎖線の血圧計本体５０は以下の（手順３）においての状態を示している。
【００４８】
電子血圧計４０の収納は、以下の（手順１）〜（手順７）の順に行われる。
（手順１）線ファスナー２７の各エレメントを分離する。
（手順２）仕切部材３１の上辺３１Ｘを二点鎖線の位置から実線の位置に引き上げる。
（手順３）収納口２９から下方区画２８Ｂに血圧計本体５０を挿入する。
（手順４）仕切部材３１の上辺３１Ｘを実線の位置から二点鎖線の位置に戻す。
（手順５）保護部３０上かつ上方区画２８Ａに圧迫帯６０を配置する。
（手順６）保護部３０上かつ上方区画２８Ａに電源アダプタ８０を配置する。
（手順７）線ファスナー２７の各エレメントを噛み合わせる。
【００４９】
（実施形態の効果）
本実施形態の血圧測定装置によれば以下の効果が得られる。
（１）血圧測定装置１においては、血圧計本体５０と圧迫帯６０との間を仕切る仕切部材３１が設けられている。また、仕切部材３１のうちの操作部５１と対応する部分に開口部３２が設けられている。この構成によれば、血圧計本体５０の操作部５１が圧迫帯６０および電源アダプタ８０により押されることが抑制される。
【００５０】
（２）血圧測定装置１においては、開口部３２としての孔が仕切部材３１に設けられている。この構成によれば、開口部３２としての凹部を仕切部材３１に形成する構成と比較して、開口部３２を形成する工程にかかる手間が低減される。
【００５１】
（３）血圧測定装置１の収納ケース１０においては、仕切部材３１の下辺３１Ｙが箱２２の底壁２３側に位置し、かつ仕切部材３１の上辺３１Ｘが箱２２の開口側に位置するように仕切部材３１が箱２２に対して傾斜している。また電子血圧計４０においては、血圧計本体５０の正面５４が底面５６に対して傾斜している。また、血圧計本体５０が収納ケース１０の下方区画２８Ｂに収納される。また、圧迫帯６０が収納ケース１０の上方区画２８Ａに収納される。この構成によれば、血圧計本体５０および圧迫帯６０を収納ケース１０の奥行方向Ｚに並べて収納する構成と比較して、収納ケース１０をコンパクトにすることができる。
【００５２】
（４）血圧測定装置１においては、奥行方向Ｚの前方から後方に向かうにつれて高さ方向Ｙの下方から上方に向けて傾斜するように仕切部材３１が箱２２に取り付けられている。この構成によれば、電子血圧計４０の各構成要素のうちの最も大きい構成要素である血圧計本体５０が下方区画２８Ｂにおいて正面を向いて配置されるとともに、電子血圧計４０の他の構成要素が上方区画２８Ａに配置される。このため、ユーザが箱２２を正面から見たとき、電子血圧計４０の各部品が収納空間２８に収納されているか否かを容易に視認することができる。
【００５３】
（５）血圧測定装置１においては、仕切部材３１の上辺３１Ｘと箱２２の内面との間に収納口２９が形成されている。この構成によれば、血圧計本体５０を下方区画２８Ｂに収納するとき、収納口２９に手を差し入れて仕切部材３１を上方に引き上げることができる。このため、収納口２９が形成されていない構成と比較して、血圧計本体５０を下方区画２８Ｂに入れる作業が行ないやすくなる。
【００５４】
（６）血圧測定装置１においては、下方区画２８Ｂに配置された血圧計本体５０の上部の縁が収納口２９よりも上方に突出する。この構成によれば、収納ケース１０の蓋２１を開放したとき、下方区画２８Ｂに血圧計本体５０が収納されていることを容易に視認することができる。
【００５５】
（７）血圧測定装置１においては、仕切部材３１の上辺３１Ｘと箱２２の内面との間に形成される収納口２９の開口幅Ｓが圧迫帯６０の帯幅Ｄよりも小さい。この構成によれば、下方区画２８Ｂに圧迫帯６０を配置するためには、仕切部材３１の上辺３１Ｘを上方に引き上げて収納口２９の開口幅Ｓを広げる必要がある。このため、収納口２９の開口幅Ｓが圧迫帯６０の帯幅Ｄよりも大きい構成、すなわち仕切部材３１の上辺３１Ｘを上方に引き上げなくとも下方区画２８Ｂに圧迫帯６０を入れることが可能な構成と比較して、ユーザが間違えて圧迫帯６０を下方区画２８Ｂに配置する状況が生じにくくなる。
【００５６】
（８）血圧測定装置１においては、仕切部材３１の上辺３１Ｘの両端が伸縮性のある接続部材３４を介して箱２２に取り付けられている。この構成によれば、仕切部材３１の上辺３１Ｘを移動させることにより収納口２９の開口幅Ｓを容易に変更するこができる。
【００５７】
（９）電子血圧計４０においては、操作部５１が血圧計本体５０の正面５４から突出して設けられている。また、収納ケース１０の仕切部材３１の開口穴深さＨが各ボタン５１Ａ，５１Ｂの突出量Ｐよりも大きく設定されている。この構成によれば、下方区画２８Ｂに血圧計本体５０が配置された状態において、操作部５１の各ボタン５１Ａ，５１Ｂの先端面が開口部３２内に位置するため、操作部５１が剛性部材３３との接触により押し下げられることが抑制される。
【００５８】
（１０）血圧測定装置１においては、仕切部材３１の開口部３２を覆うように剛性部材３３が設けられている。この構成によれば、上方区画２８Ａに配置された圧迫帯６０が開口部３２を介して操作部５１に接触することが抑制される。このため、圧迫帯６０により電源ボタン５１Ａおよび測定ボタン５１Ｂが押し下げる状況がより生じにくくなる。
【００５９】
（１１）血圧測定装置１においては、血圧計本体５０の表示部５２の全体を覆うように仕切部材３１が形成されている。この構成によれば、上方区画２８Ａに配置された電源アダプタ８０が血圧計本体５０の表示部５２に接触することが抑制される。
【００６０】
（１２）血圧測定装置１においては、仕切部材３１の下辺３１Ｙが箱２２の底壁２３に固定されている。この構成によれば、下辺３１Ｙと底壁２３との間に圧迫帯６０を挿入することが可能な開口部が形成されることがないため、下辺３１Ｙが底壁２３に固定されない構成と比較して、ユーザが間違えて圧迫帯６０を下方区画２８Ｂに配置する状況が生じにくくなる。
【００６１】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００６２】
・上記実施形態では、電源ボタン５１Ａおよび測定ボタン５１Ｂに対応するように仕切部材３１の開口部３２を形成しているが、開口部３２の大きさおよび形状を以下のように変更することもできる。
（Ａ）開口部３２の大きさおよび形状を電源ボタン５１Ａのみに対応するものに変更する。なお、この構成においては、電源ボタン５１Ａが「操作部」に相当する。
（Ｂ）開口部３２の大きさを電源ボタン５１Ａおよび測定ボタン５１Ｂに対応する大きさよりも大きいものに変更する。
【００６３】
・上記実施形態では、仕切部材３１の開口部３２として孔を形成しているが、開口部３２としての孔に代えて、仕切部材３１の一部に凹部を開口部３２として形成することもできる。この凹部は、上面３１Ａ側に凹むように形成される。また、凹部の深さが各ボタン５１Ａ，５１Ｂの突出量Ｐよりも大きく設定される。
【００６４】
・上記の変形例において、開口部３２としての凹部の深さを各ボタン５１Ａ，５１Ｂの突出量Ｐよりも小さくすることもできる。
・上記実施形態では、収納口２９の開口幅Ｓを圧迫帯６０の帯幅Ｄよりも小さく設定しているが、収納口２９の開口幅Ｓを圧迫帯６０の帯幅Ｄよりも大きくすることもできる。
【００６５】
・上記実施形態では、仕切部材３１に力が加えられていない状態において収納口２９が形成されるように保護部３０および箱２２を構成しているが、収納口２９に関する構成を次のように変更することもできる。すなわち、仕切部材３１に力が加えられていない状態において収納口２９が閉じられるように、すなわち同状態において収納口２９の開口幅Ｓが「０」となるように保護部３０および箱２２を構成することもできる。この構成においては、ユーザが仕切部材３１の上辺３１Ｘを上方に引き上げることにより、仕切部材３１と箱２２との間に収納口２９が形成される。
【００６６】
・上記実施形態では、血圧計本体５０の正面５４全体を覆うように仕切部材３１を構成しているが、操作面５４Ｂのみを覆うように仕切部材３１を構成することもできる。
・上記実施形態では、剛性部材３３を含めて保護部３０を構成しているが、剛性部材３３を保護部３０から省略することもできる。
【００６７】
・上記実施形態では、剛性部材３３をＰＥＴ素材により形成しているが、可撓性の発泡材により剛性部材３３を形成することもできる。
・上記実施形態では、仕切部材３１の下部のみを覆うように剛性部材３３を構成しているが、仕切部材３１全体を覆うように剛性部材３３を構成することもできる。
【００６８】
・上記実施形態では、血圧計本体５０において、底面５６に対する表示面５４Ａおよび操作面５４Ｂのそれぞれの傾斜度合いを互いに異なるものに設定しているが、表示面５４Ａおよび操作面５４Ｂの形成態様を次のように変更することもできる。すなわち、図７に示されるように、底面５６に対する表示面５４Ａおよび操作面５４Ｂの傾斜度合いを同じものにすることもできる。
【００６９】
・上記実施形態では、血圧計本体５０の正面５４において操作部５１を表示部５２の下方に設けているが、表示部５２の左方または右方または上方に操作部５１を設けることもできる。
【００７０】
・上記実施形態では、血圧計本体５０において電源ボタン５１Ａおよび測定ボタン５１Ｂが操作面５４Ｂから突出しているが、血圧計本体５０の構成を次のように変更することもできる。すなわち、図８に示されるように、各ボタン５１Ａ，５１Ｂが操作面５４Ｂから突出しないように血圧計本体５０を構成することもできる。
【００７１】
この構成においては、仕切部材３１のうちの各ボタン５１Ａ，５１Ｂに対応する部分に開口部３２が形成されているため、仕切部材３１との接触により各ボタン５１Ａ，５１Ｂが押し下げられる状況が生じにくくなる。また、開口穴深さＨを上記実施形態の突出量Ｐよりも小さく設定しても同実施形態の（９）の効果に準じた効果が得られる。すなわち、仕切部材３１の厚さを上記実施形態よりも小さく設定しても同実施形態の（９）の効果に準じた効果が得られる。
【００７２】
・血圧測定装置１においては、仕切部材３１の全体を不透明の材料により形成しているが、仕切部材３１において血圧計本体５０の表示部５２に対応する部分を透明の材料により形成することもできる。この場合、表示部５２に対応する部分のみを透明の材料により形成し、その周囲については不透明の材料により形成する構成、または仕切部材３１の全体を透明の材料により形成する構成を採用することができる。
【００７３】
この構成によれば、下方区画２８Ｂに血圧計本体５０を配置した状態において、仕切部材３１の透明部分を介して血圧計本体５０の表示部５２を視認することができる。このため、下方区画２８Ｂに配置された血圧計本体５０が動作しているか否かの確認を容易に行なうことができる。
【００７４】
・上記実施形態では、血圧計本体５０の側面５７に電源ボタン５１Ａを設けるとともに、収納ケース１０の底壁２３に対して傾斜して保護部３０を設けているが、収納ケース１０および血圧計本体５０の構成、ならびに圧迫帯６０等の収納ケース１０への収納態様を図９に示されるように変更することもできる。
【００７５】
図９を参照して、変形例としての血圧測定装置１の構成について説明する。
収納ケース１０においては、保護部３０に代えて、前壁２５および後壁２６に対して平行するように保護部９０が設けられている。血圧計本体５０においては、背面５５の下部に電源ボタン５１Ａが設けられている。
【００７６】
保護部９０には、長方形状の平板状の仕切部材９１と、仕切部材９１よりも高い剛性を有する平板状の剛性部材９３と、仕切部材９１と箱２２とを互いに接続する接続部材（図示略）とが設けられている。仕切部材９１、剛性部材９３、および接続部材としては、上記実施形態の仕切部材３１、剛性部材３３、および接続部材と同様の素材により形成されたものが用いられている。
【００７７】
仕切部材９１においては、その下部の後面９１Ａに剛性部材９３が取り付けられている。すなわち、仕切部材９１の後面９１Ａと剛性部材９３の前面９３Ｂとが互いに固定されている。
【００７８】
仕切部材９１において血圧計本体５０の電源ボタン５１Ａに対応する部分には、開口部９２としての孔が形成されている。開口部９２は、血圧計本体５０の電源ボタン５１Ａを囲むように形成されている。開口部９２の穴の深さは、血圧計本体５０の電源ボタン５１Ａの突出量Ｐよりも大きく設定されている。仕切部材９１の後面９１Ａおよび前面９１Ｂの面積は、血圧計本体５０の背面５５の面積よりも大きく設定されている。
【００７９】
保護部９０の後面９０Ａは、剛性部材９３の後面９３Ａと仕切部材９１の後面９１Ａとにより構成されている。保護部９０の前面９０Ｂは、仕切部材９１の前面９１Ｂにより構成されている。なお、後面９０Ａは「帯対応面」に相当する。
【００８０】
収納空間２８は、保護部９０により２つの空間、すなわち前方区画２８Ｃおよび後方区画２８Ｄに区画されている。前方区画２８Ｃは、血圧計本体５０を収納するための空間として、蓋２１が閉じられたときに保護部９０の前面９０Ｂと蓋２１と各側壁２４と前壁２５とにより囲まれて形成される。後方区画２８Ｄは、圧迫帯６０、チューブ７０、および電源アダプタ８０を収納するための空間として、蓋２１が閉じられたときに保護部９０の後面９０Ａと蓋２１と各側壁２４と後壁２６とにより囲まれて形成される。
【００８１】
電子血圧計４０の各部品は次のように収納ケース１０内に収納される。
血圧計本体５０は、正面５４が箱２２の前壁２５と対向するように前方区画２８Ｃに配置される。電源ボタン５１Ａは、仕切部材９１の開口部９２の空間に収納される。圧迫帯６０は、後方区画２８Ｄにおいて仕切部材９１の後面９１Ａと接触して配置される。電源アダプタ８０は、後方区画２８Ｄにおいて圧迫帯６０と箱２２の後壁２６との間に配置される。
【００８２】
・上記実施形態では、保護部３０を接続部材３４により箱２２に取り付けるとともに、仕切部材３１の下辺３１Ｙを箱２２の底壁２３に固定しているが、箱２２に対する保護部３０の取付構造を次のように変更することもできる。すなわち、箱２２への保護部３０の取り付けおよび箱２２からの保護部３０の取り外しができるように保護部３０を構成することもできる。
【符号の説明】
【００８３】
１０…収納ケース、２０…ケース本体、２１…蓋部、２２…箱、２３…底壁、２５…前壁、２６…後壁、２８…収納空間、２８Ａ…上方区画、２８Ｂ…下方区画、２９…収納口、３１…仕切部材、３１Ａ…上面（帯対応面）、３１Ｘ…上辺、３１Ｙ…下辺、３２…開口部、３３…剛性部材、３４…接続部材、４０…電子血圧計、５０…血圧計本体、５１…操作部、５２…表示部、５４…正面、５６…底面、６０…圧迫帯、９１…仕切部材、９１Ａ…後面（帯対応面）、９２…開口部、９３…剛性部材。
【図１】
0005357909.tif 000002
【図２】
0005357909.tif 000003
【図３】
0005357909.tif 000004
【図４】
0005357909.tif 000005
【図５】
0005357909.tif 000006
【図６】
0005357909.tif 000007
【図７】
0005357909.tif 000008
【図８】
0005357909.tif 000009
【図９】
0005357909.tif 000010